(57)【要約】【課題】硬貨識別装置の硬貨収納部を完全に閉めたことを確認することができる自動販売機を提供する。【解決手段】硬貨識別装置４５を搭載した自動販売機１において、硬貨識別装置４５の硬貨収納部４５ａの開閉を検知する硬貨収納部開閉検知センサ４５ｂと、収納部閉塞確認報知装置９７と、硬貨収納部開閉検知センサ４５ｂが硬貨収納部４５ａが開放から閉塞に変化したことを検知すると収納部閉塞確認報知装置９７に信号を出力して硬貨収納部４５ａが閉塞されたことを報知する制御部９０と、を備えた。【選択図】図１
2015049557.tif 000002
【特許請求の範囲】
【請求項１】
硬貨識別装置を搭載した自動販売機において、
前記硬貨識別装置の硬貨収納部の開閉を検知する硬貨収納部開閉検知装置と、収納部閉塞確認報知装置と、前記硬貨収納部開閉検知装置が前記硬貨収納部が開放から閉塞に変化したことを検知すると前記収納部閉塞確認報知装置に信号を出力して前記硬貨収納部が閉塞されたことを報知する制御部と、を備えたことを特徴とする自動販売機。
【請求項２】
紙幣識別装置を搭載した自動販売機において、
前記紙幣識別装置の紙幣収納部の開閉を検知する紙幣収納部開閉検知装置と、収納部閉塞確認報知装置と、前記紙幣収納部開閉検知装置が前記紙幣収納部が開放から閉塞に変化したことを検知すると前記収納部閉塞確認報知装置に信号を出力して前記紙幣収納部が閉塞されたことを報知する制御部と、を備えたことを特徴とする自動販売機。
【発明の詳細な説明】
【技術分野】
【０００１】
本発明は、各種商品を販売する自動販売機に関する。
【背景技術】
【０００２】
通常、自動販売機には、硬貨識別装置や紙幣識別装置が備えられている。この硬貨識別装置に硬貨を投入する、あるいは紙幣識別装置に紙幣を挿入後、商品選択ボタンを押下することで所望の商品を購入するようにしている（例えば、特許文献１参照）。
【先行技術文献】
【特許文献】
【０００３】
【特許文献１】特開２００１−５６８８３号公報
【発明の概要】
【発明が解決しようとする課題】
【０００４】
上述した自動販売機では、硬貨識別装置の硬貨収納部が閉まっておらず、かつ外扉が閉まった場合にはブザーを鳴らし、硬貨識別装置の硬貨収納部が閉まっていないことを外部に報知するようにしている。また、紙幣識別装置の紙幣収納部が閉まっておらず、かつ外扉が閉まった場合にもブザーを鳴らし、紙幣識別装置の紙幣収納部が閉まっていないことを外部に報知するようにしている。
【０００５】
しかしながら、外扉を閉めることでブザーを鳴らして硬貨識別装置の硬貨収納部、紙幣鑑別機の紙幣収納部が閉まっていないことを外部に報知するようにしているため、ブザーが鳴ると、再度、外扉を開いて硬貨収納部または紙幣収納部を閉め直してから、さらに外扉を閉めなければならないというように煩雑な作業を要するという問題がある。
【０００６】
本発明は、以上のような課題を解決するためになされたものであり、外扉を閉める前に硬貨識別装置の硬貨収納部、紙幣鑑別機の紙幣収納部を完全に閉めたことを確認することができる自動販売機を提供することを目的とする。
【課題を解決するための手段】
【０００７】
上記の目的を達成するために、本発明の請求項１に係る自動販売機は、硬貨識別装置を搭載した自動販売機において、
前記硬貨識別装置の硬貨収納部の開閉を検知する硬貨収納部開閉検知装置と、収納部閉塞確認報知装置と、前記硬貨収納部開閉検知装置が前記硬貨収納部が開放から閉塞に変化したことを検知すると前記収納部閉塞確認報知装置に信号を出力して前記硬貨収納部が閉塞されたことを報知する制御部と、を備えたことを特徴とする。
【０００８】
また、本発明の請求項２に係る自動販売機は、紙幣識別装置を搭載した自動販売機において、
前記紙幣識別装置の紙幣収納部の開閉を検知する紙幣収納部開閉検知装置と、収納部閉塞確認報知装置と、前記紙幣収納部開閉検知装置が前記紙幣収納部が開放から閉塞に変化したことを検知すると前記収納部閉塞確認報知装置に信号を出力して前記紙幣収納部が閉塞されたことを報知する制御部と、を備えたことを特徴とする。
【発明の効果】
【０００９】
請求項１の発明によれば、硬貨識別装置を搭載した自動販売機において、硬貨識別装置の硬貨収納部の開閉を検知する硬貨収納部開閉検知装置と、収納部閉塞確認報知装置と、硬貨収納部開閉検知装置が硬貨収納部が開放から閉塞に変化したことを検知すると収納部閉塞確認報知装置に信号を出力して硬貨収納部が閉塞されたことを報知する制御部と、を備えたことにより、外扉を閉める前に硬貨識別装置の硬貨収納部を完全に閉めたことを確認することができる自動販売機を提供することが可能となる。
【００１０】
また、請求項２の発明によれば、紙幣識別装置を搭載した自動販売機において、紙幣識別装置の紙幣収納部の開閉を検知する紙幣収納部開閉検知装置と、収納部閉塞確認報知装置と、紙幣収納部開閉検知装置が紙幣収納部が開放から閉塞に変化したことを検知すると収納部閉塞確認報知装置に信号を出力して紙幣収納部が閉塞されたことを報知する制御部と、を備えたことにより、外扉を閉める前に紙幣鑑別機の紙幣収納部を完全に閉めたことを確認することができる自動販売機を提供することが可能となる。
【図面の簡単な説明】
【００１１】
【図１】本発明の実施の形態である自動販売機を示す正面図である。
【図２】図１に示した自動販売機の外扉開放状態を示す正面図である。
【図３】図１に示した自動販売機の硬貨識別装置を示す鳥瞰図である。
【図４】図１に示した自動販売機の紙幣識別装置を示す鳥瞰図である。
【図５】図１に示した自動販売機の制御構成を示す制御ブロック図である。
【図６】図１に示した自動販売機の制御を示すフローチャート図である。
【図７】図１に示した自動販売機の制御を示すフローチャート図である。
【発明を実施するための形態】
【００１２】
以下、図面を参照しながら、本発明に係る自動販売機の好適な実施の形態について詳細に説明する。なお、この実施の形態によりこの発明が限定されるものではない。
【００１３】
図１は、本発明の実施の形態である自動販売機を示す正面図、図２は、本発明の実施の形態に係る自動販売機の外扉開放状態を示す正面図である。
【００１４】
図に示すように自動販売機１は、前面を開口した略直方体の本体２と、本体２前面の開口を開閉自在に覆う収納庫外扉３と接客部外扉４と、を備えている。
【００１５】
本体２内部は、前面が開口して周囲を断熱部材により囲繞された商品収納庫２ａと、商品収納庫２ａに隣接し、制御部９０などが収納される電装部品収納庫２ｂとから構成され、収納庫外扉３で商品収納庫２ａ前面開口を開閉自在に覆い、接客部外扉４で電装部品収納庫２ｂ前面開口を開閉自在に覆っている。
【００１６】
商品収納庫２ａ内部には販売する商品を前後一列に並べて収納する商品収納コラム２１が上下段、左右列に並べて設けられている。商品収納コラム２１は、販売指令信号に基づいて商品を前方に送り出すように構成され、制御部９０が出力する信号で回転駆動されて商品を前方に送り出す。
【００１７】
また、商品収納庫２ａ内部には、各商品収納コラム２１から送出された商品を受容し、商品取出口２２に搬送する商品搬送装置（図示せず）が設けられている。
【００１８】
さらに、本体２の下部には図示しない圧縮機や凝縮器、商品収納庫２ａ内部には蒸発器が設けられ、これらで構成される冷却装置が運転されると、圧縮機で圧縮されて凝縮器で液化された冷媒が蒸発器で蒸発した時に発生する気化熱で商品収納庫２ａ内部を設定温度（例えば、５℃）に冷却する。
【００１９】
収納庫外扉３は、複数の商品収納コラム２１に収納されている商品が外部から目視、観察できるように、それらに対応する領域に透明板３ａが設けられている。
【００２０】
接客部外扉４には自動販売機１の操作部（接客部）である、商品番号を入力して購入希望商品を選択するテンキー押しボタンと購入ボタン、取り消しボタンの組合せで構成する商品選択ボタン４１、商品選択ボタン４１で選択された商品番号や投入金額などを表示する表示器４２、紙幣識別装置４３の紙幣挿入口４４、硬貨識別装置４５の硬貨投入口４６、紙幣挿入口４４に挿入した紙幣や硬貨投入口４６に投入した硬貨を返却操作する金銭返却スイッチ４７、硬貨を返却する硬貨返却口４８、鍵部４９が配設されている。
【００２１】
商品取出口２２には、商品搬送装置で搬送された商品を取り出すための開口部２３と、開口部２３を開閉するための取出口扉２４が設けられている。取出口扉２４は、上端を軸支されて奥側に回動可能に設けられ、前面を押圧されて奥側に回動されたとき、開口部２３を開放して商品取出口２２内に搬送された商品を取り出し可能とするように構成され、常時は図示しない付勢装置により閉塞位置に向けて付勢されている。
【００２２】
図３は、硬貨識別装置４５を示し、硬貨識別装置４５には、投入された硬貨を釣銭として収納している硬貨収納部４５ａと、硬貨収納部４５ａの開閉を検知する硬貨収納部開閉検知センサ４５ｂ（図５参照）とを備えている。
【００２３】
図４は、紙幣識別装置（ビルバリ）４３を示し、紙幣識別装置４３には、挿入された紙幣を収納している紙幣収納部４３ａと、紙幣収納部４３ａの開閉を検知する紙幣収納部開閉検知センサ４３ｂ（図５参照）とを備えている。
【００２４】
図５は、自動販売機１の制御ブロック図を示し、自動販売機１での商品販売などを制御する制御部９０は、中央処理装置としてのＣＰＵ９１、ＣＰＵ９１の制御プログラムを格納するＲＯＭ（リード・オンリー・メモリ）９２、ＣＰＵ９１の制御に必要な各種のプログラムやデータを随時記憶するＲＡＭ（ランダム・アクセス・メモリ：商品の販売価格や商品収納庫２ａ内部の設定温度などを記憶する）９３、基準クロック発生部（図示せず）で発生するクロックをカウントして各種時刻を計時するタイマー９４、自動販売機１に備えられている各機器に通電する電力回路を有する通電部９５から構成されている。
【００２５】
また、制御部９０には、商品番号を入力して購入希望商品を選択するテンキー押しボタンと購入ボタン、取り消しボタンの組合せで構成する商品選択ボタン４１、紙幣識別装置４３、紙幣識別装置４３の紙幣収納部４３ａの開閉を検知する紙幣収納部開閉検知センサ（紙幣収納部開閉検知装置）４３ｂ、硬貨識別装置４５、硬貨識別装置４５の硬貨収納部４５ａの開閉を検知する硬貨収納部開閉検知センサ（硬貨収納部開閉検知装置）４５ｂなどが接続され、硬貨識別装置４５には、紙幣挿入口４４に挿入した紙幣や硬貨投入口４６に投入した硬貨を返却操作する金銭返却スイッチ４７が接続されている。
【００２６】
さらに、制御部９０は、商品収納装置２１や商品選択ボタン４１で選択された商品番号や投入金額などを表示する表示器４２、紙幣収納部４３ａや硬貨収納部４５ａが閉塞されたことを報知する収納部閉塞確認報知装置（例えば、ブザーや電子音発生装置、表示ランプ）９７などの制御を行う。
【００２７】
次に、硬貨収納部開閉検知センサ４５ｂが硬貨収納部４５ａが開放から閉塞に変化したことを検知すると収納部閉塞確認報知装置９７に信号を出力して硬貨収納部４５ａが閉塞されたことを報知する制御部９０の制御の手順を図６のフローチャート図を用いて説明する。
【００２８】
先ず、硬貨収納部開閉検知センサ４５ｂが検知している硬貨収納部４５ａが開放から閉塞に変化したかを確認する（ステップＳ１１）。硬貨収納部４５ａが閉塞されたと確認した場合（ステップＳ１１：Ｙｅｓ）、収納部閉塞確認報知装置９７に信号を出力して硬貨収納部４５ａが閉塞したことを報知（例えば、ブザー音や電子音、表示ランプの点滅）する（ステップＳ１２）。
【００２９】
また、紙幣収納部開閉検知センサ４３ｂが紙幣収納部４３ａが開放から閉塞に変化したことを検知すると収納部閉塞確認報知装置９７に信号を出力して紙幣収納部４３ａが閉塞されたことを報知する制御部９０の制御の手順を図７のフローチャート図を用いて説明する。
【００３０】
先ず、紙幣収納部開閉検知センサ４３ｂが検知している紙幣収納部４３ａが開放から閉塞に変化したかを確認する（ステップＳ２１）。紙幣収納部４３ａが閉塞されたと確認した場合（ステップＳ２１：Ｙｅｓ）、収納部閉塞確認報知装置９７に信号を出力して紙幣収納部４３ａが閉塞したことを報知（例えば、ブザー音や電子音、表示ランプの点滅）する（ステップＳ２２）。
【００３１】
このように、接客部外扉４を閉める前に硬貨識別装置４５の硬貨収納部４５ａ、紙幣鑑別機４３の紙幣収納部４３ａを完全に閉めたことを確認することができる自動販売機１を提供することが可能となる。
【００３２】
以上説明したように本発明によれば、硬貨識別装置４５を搭載した自動販売機１において、硬貨識別装置４５の硬貨収納部４５ａの開閉を検知する硬貨収納部開閉検知センサ４５ｂと、収納部閉塞確認報知装置９７と、硬貨収納部開閉検知センサ４５ｂが硬貨収納部４５ａが開放から閉塞に変化したことを検知すると収納部閉塞確認報知装置９７に信号を出力して硬貨収納部４５ａが閉塞されたことを報知する制御部９０と、を備えたことにより、接客部外扉４を閉める前に硬貨識別装置４５の硬貨収納部４５ａを完全に閉めたことを確認することができる自動販売機１を提供することが可能となる。
【００３３】
また、紙幣識別装置４３を搭載した自動販売機１において、紙幣識別装置４３の紙幣収納部４３ａの開閉を検知する紙幣収納部開閉検知センサ４３ｂと、収納部閉塞確認報知装置９７と、紙幣収納部開閉検知センサ４３ｂが紙幣収納部４３ａが開放から閉塞に変化したことを検知すると収納部閉塞確認報知装置９７に信号を出力して紙幣収納部４３ａが閉塞されたことを報知する制御部９０と、を備えたことにより、接客部外扉４を閉める前に紙幣鑑別機４３の紙幣収納部４３ａを完全に閉めたことを確認することができる自動販売機１を提供することが可能となる。
【符号の説明】
【００３４】
１      自動販売機
２      本体
３      収納庫外扉
４      接客部外扉
４１      商品選択ボタン
４２      表示器
４３      紙幣識別装置
４３ａ      紙幣収納部
４３ｂ      紙幣収納部開閉検知センサ（紙幣収納部開閉検知装置）
４５      硬貨識別装置
４５ａ      硬貨収納部
４５ｂ      硬貨収納部開閉検知センサ（硬貨収納部開閉検知装置）
４７      金銭返却スイッチ
９０      制御部
９７      収納部閉塞確認報知装置
【図１】
2015049557.tif 000003
【図２】
2015049557.tif 000004
【図３】
2015049557.tif 000005
【図４】
2015049557.tif 000006
【図５】
2015049557.tif 000007
【図６】
2015049557.tif 000008
【図７】
2015049557.tif 000009